(57)【特許請求の範囲】
【請求項１】
Ｈ形鋼製品の製造において中間圧延工程において造形された略Ｈ形形状の被圧延材に対して仕上曲げ加工工程を行う仕上曲げ加工機であって、
前記被圧延材のウェブ部上下面を挟持して加工方向に搬送する上水平機構及び下水平機構を備え、
前記上水平機構には、楕円形状に構成された無限軌道上を駆動旋回し、ピッチライン上において前記ウェブ部の上面に当接する複数の金型が配設され、
前記下水平機構には、楕円形状に構成された無限軌道上を駆動旋回し、ピッチライン上において前記ウェブ部の下面に当接する複数の金型が配設され、
前記ウェブ部がピッチライン上の所定区間において前記複数の金型によって挟持され、当該ウェブ部を加工方向に向けて搬送させることを特徴とする、仕上曲げ加工機。
【請求項２】
前記被圧延材のフランジ部の外側面に当接することで当該フランジ部の曲げ加工を行う左右一対の竪ロールを備え、
前記上水平機構及び下水平機構の複数の金型は、ピッチライン上において前記被圧延材のフランジ部の内側面に当接する構成を有し、
前記フランジ部はピッチライン上において前記竪ロールと前記上水平機構及び下水平機構の複数の金型に挟まれて造形されることを特徴とする、請求項１に記載の仕上曲げ加工機。
【請求項３】
前記所定区間は、前記フランジ部がピッチライン上において前記竪ロールと前記上水平機構及び下水平機構の複数の金型に挟まれて造形される区間に設定されることを特徴とする、請求項２に記載の仕上曲げ加工機。
【請求項４】
前記所定区間は、前記フランジ部がピッチライン上において前記竪ロールと前記上水平機構及び下水平機構の複数の金型に挟まれて造形される区間を加工方向下流側に超えて設定されることを特徴とする、請求項２に記載の仕上曲げ加工機。
【請求項５】
前記被圧延材のフランジ部の外側面に当接することで当該フランジ部の曲げ加工を行う左右一対の竪金型列機構を備え、
前記竪金型列機構には、楕円形状に構成された無限軌道上を駆動旋回し、ピッチライン上において前記フランジ部の外側面に当接する複数の金型が配設され、
前記上水平機構及び下水平機構の複数の金型は、ピッチライン上において前記被圧延材のフランジ部の内側面に当接する構成を有し、
前記フランジ部はピッチライン上において前記竪金型列機構の複数の金型と前記上水平機構及び下水平機構の複数の金型に挟まれて造形されることを特徴とする、請求項１に記載の仕上曲げ加工機。
【請求項６】
前記所定区間は、前記フランジ部がピッチライン上において前記竪金型列機構の複数の金型と前記上水平機構及び下水平機構の複数の金型に挟まれて造形される区間に設定されることを特徴とする、請求項５に記載の仕上曲げ加工機。
【請求項７】
前記所定区間は、前記フランジ部がピッチライン上において前記竪金型列機構の複数の金型と前記上水平機構及び下水平機構の複数の金型に挟まれて造形される区間を加工方向下流側に超えて設定されることを特徴とする、請求項５に記載の仕上曲げ加工機。
【請求項８】
前記上水平機構及び下水平機構の複数の金型は、被圧延材幅方向において所定の間隔を空けて配設される左右の金型部分から構成され、
当該左右の金型部分の間の間隔は、任意に調整可能に構成されることを特徴とする、請求項１〜７のいずれか一項に記載の仕上曲げ加工機。
【発明の詳細な説明】
【技術分野】
【０００１】
本発明は、例えば矩形断面であるスラブやブルーム等を素材として粗圧延、中間圧延を経由して造形されたＨ形中間材に対し仕上曲げ加工工程で主としてフランジの曲げ加工を施しＨ形鋼製品を製造するための仕上曲げ加工機に関する。
【背景技術】
【０００２】
Ｈ形鋼の製造方法としては、加熱炉から抽出されたスラブやブルーム等の素材を粗圧延機（ＢＤ）によって粗形材（所謂ドッグボーン形状の被圧延材）に造形し、中間ユニバーサル圧延機によって上記粗形材のウェブやフランジの板厚を圧下し、併せて前記中間ユニバーサル圧延機に近接したエッジャー圧延機によって被圧延材のフランジに対し幅圧下や端面の鍛錬と整形が施され、仕上ユニバーサル圧延機によってＨ形鋼製品が造形されるといった技術が一般的に知られている（例えば非特許文献１参照）。
【０００３】
このようなＨ形鋼の製造方法での、仕上ユニバーサル圧延機による仕上圧延工程においては、水平ロールと被圧延材のウェブ部との接触は、板厚圧下がほとんど無いことから圧延方向についてほぼ一点のみであり、その他箇所においてはウェブ部が非拘束とされる。ウェブ部が非拘束の状態でフランジに対する曲げ加工が実施されると、被圧延材の位置が精度良く定まらずＨ形鋼製品にウェブ中心偏り不良等が生じるという問題が従来からあった。そこで、このような問題に対処するため、例えば特許文献１には、仕上ユニバーサル圧延機の入側や出側に設置されるウェブガイド装置に関する技術が開示されている。
【先行技術文献】
【特許文献】
【０００４】
【特許文献１】特許第３３６２８３２号
【非特許文献】
【０００５】
【非特許文献１】棒線・形・管圧延、日本塑性加工学会編、９８頁〜１０４頁、コロナ社
【発明の概要】
【発明が解決しようとする課題】
【０００６】
しかしながら、上記非特許文献１に記載の技術では、上述したように仕上圧延工程におけるウェブ中心偏り不良が生じるといった問題や、水平ロール側面部とＨ形形状の被圧延材のフランジ内面との速度差により、特に速度差の大きいフランジ先端部が接触する箇所（水平ロール側面部）が大きく摩耗してしまうといった問題があった。
【０００７】
また、上記特許文献２に記載の技術では、ウェブガイドが被圧延材のウェブに上下から接触して被圧延材の位置を定められるのでウェブ中心偏り不良が発生しにくく、また、ウェブガイドを着脱することなくロール替えやガイドの幅変更を行うことができるといった利点がある。上述した通り、水平ロールとウェブ部との接触が圧延方向についてほぼ一点のみであり、その他箇所においてはウェブ部は水平ロールから拘束されておらず、ウェブガイドからのみ拘束されている。しかし、ウェブガイドは水平ロールと異なり静止しており、被圧延材のウェブ部とウェブガイドの間の摩擦は過酷であり、ウェブ部はウェブガイドから大きな摩擦力を受ける。その結果、被圧延材のウェブ部の表面にはウェブガイドとの摩擦でスリ疵が発生したり、上下ウェブガイドの間の狭い空間内で被圧延材のウェブ部が動けなくなり（所謂ガイド詰まり）、被圧延材が仕上ユニバーサル圧延機に噛み込まないといった場合がしばしば発生するといった問題がある。この問題を解決するためには、上下ウェブガイド間隙を広げるしかなく、そのためにウェブガイドによる被圧延材のウェブ部に対する拘束が緩くなり、ウェブ中心偏り不良が生じることになる。
【０００８】
上記事情に鑑み、本発明の目的は、Ｈ形鋼を製造する際の仕上曲げ加工工程において、従来に比べ被圧延材の表面性状が良好でガイド詰まりの懸念がなく、且つ高い寸法・形状精度を実現させることが可能なＨ形鋼の仕上曲げ加工機を提供することにある。
【課題を解決するための手段】
【０００９】
前記の目的を達成するため、本発明によれば、Ｈ形鋼製品の製造において中間圧延工程において造形された略Ｈ形形状の被圧延材に対して仕上曲げ加工工程を行う仕上曲げ加工機であって、前記被圧延材のウェブ部上下面を挟持して加工方向に搬送する上水平機構及び下水平機構を備え、前記上水平機構には、楕円形状に構成された無限軌道上を駆動旋回し、ピッチライン上において前記ウェブ部の上面に当接する複数の金型が配設され、前記下水平機構には、楕円形状に構成された無限軌道上を駆動旋回し、ピッチライン上において前記ウェブ部の下面に当接する複数の金型が配設され、前記ウェブ部がピッチライン上の所定区間において前記複数の金型によって挟持され、当該ウェブ部を加工方向に向けて搬送させることを特徴とする、仕上曲げ加工機が提供される。
【００１０】
上記仕上曲げ加工機においては、前記被圧延材のフランジ部の外側面に当接することで当該フランジ部の曲げ加工を行う左右一対の竪ロールを備え、前記上水平機構及び下水平機構の複数の金型は、ピッチライン上において前記被圧延材のフランジ部の内側面に当接する構成を有し、前記フランジ部はピッチライン上において前記竪ロールと前記上水平機構及び下水平機構の複数の金型に挟まれて造形されても良い。
【００１１】
前記所定区間は、前記フランジ部がピッチライン上において前記竪ロールと前記上水平機構及び下水平機構の複数の金型に挟まれて造形される区間に設定されても良い。
【００１２】
前記所定区間は、前記フランジ部がピッチライン上において前記竪ロールと前記上水平機構及び下水平機構の複数の金型に挟まれて造形される区間を加工方向下流側に超えて設定されても良い。
【００１３】
また、上記仕上曲げ加工機においては、前記被圧延材のフランジ部の外側面に当接することで当該フランジ部の曲げ加工を行う左右一対の竪金型列機構を備え、前記竪金型列機構には、楕円形状に構成された無限軌道上を駆動旋回し、ピッチライン上において前記フランジ部の外側面に当接する複数の金型が配設され、前記上水平機構及び下水平機構の複数の金型は、ピッチライン上において前記被圧延材のフランジ部の内側面に当接する構成を有し、前記フランジ部はピッチライン上において前記竪金型列機構の複数の金型と前記上水平機構及び下水平機構の複数の金型に挟まれて造形されても良い。
【００１４】
前記所定区間は、前記フランジ部がピッチライン上において前記竪金型列機構の複数の金型と前記上水平機構及び下水平機構の複数の金型に挟まれて造形される区間に設定されても良い。
【００１５】
前記所定区間は、前記フランジ部がピッチライン上において前記竪金型列機構の複数の金型と前記上水平機構及び下水平機構の複数の金型に挟まれて造形される区間を加工方向下流側に超えて設定されても良い。
【００１６】
前記上水平機構及び下水平機構の複数の金型は、被圧延材幅方向において所定の間隔を空けて配設される左右の金型部分から構成され、当該左右の金型部分の間の間隔は、任意に調整可能に構成されても良い。
【発明の効果】
【００１７】
本発明によれば、Ｈ形鋼を製造する際の仕上曲げ加工工程において、従来に比べ被圧延材の表面性状が良好でガイド詰まりの懸念がなく、且つ高い寸法・形状精度を実現させることが可能となる。
【図面の簡単な説明】
【００１８】
【図１】本実施の形態にかかる圧延設備を含むＨ形鋼の製造ラインについての説明図である。
【図２】仕上曲げ加工機の概略平面図である。
【図３】仕上曲げ加工機の概略側面図である。
【図４】仕上曲げ加工機において圧延される被圧延材の様子を正面から見た概略断面図（フランジ部の曲げ加工開始前）である。
【図５】仕上曲げ加工機において圧延される被圧延材の様子を正面から見た概略断面図（フランジ部の曲げ加工開始時）である。
【図６】仕上曲げ加工機において圧延される被圧延材の様子を正面から見た概略断面図（フランジ部の曲げ加工終了時）である。
【図７】仕上曲げ加工機において圧延される被圧延材の様子を正面から見た概略断面図（仕上曲げ加工機抜け後）である。
【図８】従来の仕上ユニバーサル圧延機において圧延される被圧延材の様子を正面から見た概略断面図であり、（ａ）が圧延開始前、（ｂ）は圧延開始時、（ｃ）は圧延終了時、（ｄ）は仕上ユニバーサル圧延機抜け後を示している。
【図９】従来の仕上ユニバーサル圧延機においてウェブ部が非拘束であることに起因して生じる問題点の概略説明図である。
【図１０】上下水平機構に備えられる金型を幅方向に２分割された構成とした場合の概略説明図である。
【図１１】本発明の他の実施の形態にかかる仕上曲げ加工機の概略平面図である。
【図１２】本発明の他の実施の形態にかかる仕上曲げ加工機の概略側面図である。
【図１３】本発明の他の実施の形態にかかる仕上曲げ加工機においてフランジ部が曲げ加工される様子を正面から見た概略断面図であり、（ａ）がフランジ部の曲げ加工開始前、（ｂ）はフランジ部の曲げ加工開始時、（ｃ）はフランジ部の曲げ加工終了時、（ｄ）は仕上曲げ加工機抜け後を示している。
【発明を実施するための形態】
【００１９】
以下、本発明の実施の形態について図面を参照して説明する。なお、本明細書および図面において、実質的に同一の機能構成を有する構成要素については、同一の符号を付することにより重複説明を省略する。
【００２０】
図１は、本実施の形態にかかる圧延設備１を含むＨ形鋼の製造ラインＴについての説明図である。図１に示すように、製造ラインＴには上流側から順に、加熱炉２、粗圧延機４、中間ユニバーサル圧延機５、仕上曲げ加工機８が配置されている。また、中間ユニバーサル圧延機５に近接してエッジャー圧延機９が設けられている。なお、以下では、説明のために製造ラインＴにおける鋼材を、総称して「被圧延材Ｗ」と記載し、各図において適宜その形状を破線・斜線等を用いて図示する場合がある。
【００２１】
図１に示すように、製造ラインＴでは、加熱炉２から抽出された例えばスラブ１１等の被圧延材Ｗが粗圧延機４において粗圧延される。次いで、中間ユニバーサル圧延機５において中間圧延される。この中間圧延時には、必要に応じてエッジャー圧延機９によって被圧延材の端部等（フランジ対応部１２）に対して圧下が施される。通常の場合、粗圧延機４のロールには、合わせて４〜６個程度の孔型が刻設されており、これらを経由して１０数パス程度のリバース圧延でＨ形粗形材１３が造形され、該Ｈ形粗形材１３を前記中間ユニバーサル圧延機５−エッジャー圧延機９の２つの圧延機からなる圧延機列を用いて、通常７〜１０数パスの圧下が加えられ、中間材１４が造形される。そして中間材１４は、仕上曲げ加工機８において製品形状に曲げ加工され、Ｈ形鋼製品１６が製造される。
【００２２】
次に、以下では本実施の形態にかかる仕上曲げ加工機８の詳細な構成について図面を参照して説明する。なお、上記図１に示した加熱炉２、粗圧延機４、中間ユニバーサル圧延機５、エッジャー圧延機９等は、従来よりＨ形鋼の製造に用いられている一般的な装置であり、その装置構成等は既知であるため本明細書では説明を省略する。
【００２３】
図２は、仕上曲げ加工機８の概略平面図であり、図３は仕上曲げ加工機８の概略側面図である。なお、図２の概略平面図は、図３における仕上曲げ加工機８の側面図のＥ−Ｅ断面を図示したものである。
【００２４】
図２及び図３に示すように、仕上曲げ加工機８は、略Ｈ形形状の被圧延材Ｗ（上記中間材１４）の左右のフランジ部２０、２１の外側面に沿って当接し、当該フランジ部２０、２１の造形を行う竪ロール３０、３１と、被圧延材Ｗのウェブ部２５の上下面を挟持する水平金型列機構としての上水平機構４０及び下水平機構４１を備えている。なお、図２においては下水平機構４１は図示しておらず、図３の概略側面図においては、竪ロール３０、３１は図示していない。
【００２５】
図３に示すように、上水平機構４０は楕円形状に構成された無限軌道上を連結された複数の金型４０ａを備えており、これら金型４０ａは治具４５によって上水平機構４０の筐体４０ｂに接続されている。また、複数の金型４０ａは上記無限軌道上において隣接して配置されており、図示しない駆動機構により、加工方向（図３中矢印方向）に合わせて無限軌道上を旋回駆動する構成となっている。
【００２６】
同様に、下水平機構４１は楕円形状に構成された無限軌道上を連結された複数の金型４１ａを備えており、これら金型４１ａは治具４６によって下水平機構４１の筐体４１ｂに接続されている。また、複数の金型４１ａは上記無限軌道上において隣接して配置されており、図示しない駆動機構により、加工方向（図３中矢印方向）に合わせて無限軌道上を旋回駆動する構成となっている。
【００２７】
ここで、上水平機構４０と下水平機構４１との間において、金型４０ａと金型４１ａの間隔は、仕上曲げ加工機８に搬入されてくる被圧延材Ｗのウェブ部２５の板厚とほぼ等しく構成されており、図３に示すように、所定区間内においてはウェブ部２５は金型４０ａと金型４１ａに挟持されながら圧下や造形が行われる。
【００２８】
また、図４〜図７は、仕上曲げ加工機８においてフランジ部２０、２１が曲げ加工される被圧延材Ｗの様子を正面から見た概略断面図であり、図４はフランジ部の曲げ加工開始前、図５はフランジ部の曲げ加工開始時、図６はフランジ部の曲げ加工終了時、図７は仕上曲げ加工機抜け後をそれぞれ示している。即ち、図４〜図７は、それぞれ図２及び図３におけるＡ−Ａ断面、Ｂ−Ｂ断面、Ｃ−Ｃ断面、Ｄ−Ｄ断面を示している。
【００２９】
図４〜７に示すように、金型４０ａ、４１ａは、安定してウェブ部２５を挟持するために、ウェブ部２５の幅とほぼ同じ幅長さを有している。また、金型４０ａ、４１ａの幅両端部は、フランジ部２０、２１の内側面に合わせた形状となっており、以下に説明するフランジ部２０、２１の造形に応じてフランジ部２０、２１の内側面が金型４０ａ、４１ａの側面に当接するような構成となっている。
【００３０】
図４に示すように、フランジ部の曲げ加工開始前（図２、３のＡ−Ａ断面時）においては、竪ロール３０、３１とフランジ部２０、２１とは離隔した状態となっており、ウェブ部２５は金型４０ａ、４１ａによって挟持された状態となっている。
【００３１】
そして、図５に示すように、フランジ部の曲げ加工開始時（図２、３のＢ−Ｂ断面時）においては、竪ロール３０、３１とフランジ部２０、２１とが当接し始めており、被圧延材Ｗが金型４０ａ、４１ａによって挟持されたままの状態で、フランジ部２０、２１の造形が開始される。
【００３２】
続いて、図６に示すように、フランジ部の曲げ加工が終了（図２、３のＣ−Ｃ断面時）するまでの間、竪ロール３０、３１と金型４０ａ、４１ａの側面との間においてフランジ部２０、２１が曲げ加工され、ウェブ部２５に対してフランジ部２０、２１が直交するような形状（即ち、略Ｈ形鋼製品形状）に造形される。
【００３３】
そして、図７に示すように、仕上曲げ加工機抜け後（図２、３のＤ−Ｄ断面時）は、竪ロール３０、３１とフランジ部２０、２１とは再び離隔した状態となり、ウェブ部２５については金型４０ａ、４１ａによって挟持された状態である。
【００３４】
以上、図４〜７に示したように、本実施の形態にかかる仕上曲げ加工機８においては、圧延開始前から圧延終了後まで被圧延材Ｗのウェブ部２５が金型４０ａ、４１ａに挟持されたままの状態でフランジ部２０、２１の曲げ加工が行われ、略Ｈ形鋼製品形状に造形される。
【００３５】
一方、従来のＨ形鋼の仕上ユニバーサル圧延機においては、既知の構成である水平ロール対と竪ロール対を用いて同様の造形工程が行われる。ここで本発明者らは、高い寸法・形状精度を実現するためには、従来より既知の水平ロール対と竪ロール対で構成される仕上ユニバーサル圧延機では、特にウェブ部の中心位置精度が十分でないことを見出し、上記図２〜図７に示した構成を創案した。そこで、以下では、従来より既知の水平ロール対と竪ロール対を備えた仕上ユニバーサル圧延機での寸法精度に係る問題点について図面を参照して説明する。
【００３６】
図８は、従来の仕上ユニバーサル圧延機において圧延される被圧延材の様子を圧延方向から見た概略断面図であり、（ａ）が圧延開始前、（ｂ）は圧延開始時、（ｃ）は圧延終了時、（ｄ）は仕上ユニバーサル圧延機抜け後を示している。なお、図８において、上下水平ロール５０、５１（図４〜図７における金型４０ａ、４１ａに相当）以外の構成要素については、上記図４〜図７と同様であるため、共通の符号を用いて図示・説明する。
【００３７】
図８（ａ）〜（ｄ）に示すように、従来の仕上ユニバーサル圧延機においては、上下水平ロール５０、５１によってウェブ部２５を挟持する構成としているが、上下水平ロール５０、５１がウェブ部２５に当接するのは図８（ｃ）に示す圧延終了時のほぼ一点のみであり、図８（ａ）、（ｂ）、（ｄ）に示す場合においては、上下水平ロール５０、５１はウェブ部２５に当接しておらず、ウェブ部２５は非拘束な状態となっている。これは、仕上圧延がＨ形鋼製品を製造する最終段階であることから、形状や表面性状を整えるためにウェブ部２５及びフランジ部２０、２１の板厚を極軽く圧下しつつ、フランジ部２０、２１の曲げ加工を行う圧延工程であることに起因している。即ち、仕上圧延におけるウェブ部２５の板厚圧下量が小さいため、ウェブ投影接触弧長が極小さく、上下水平ロール５０、５１がウェブ部２５に当接するのは図８（ｃ）に示す圧延終了時のほぼ一点のみとみなして差し支えない。
【００３８】
図９は、従来の仕上ユニバーサル圧延機においてウェブ部２５が非拘束であることに起因して生じる問題点の概略説明図である。なお、図９においても、上記図８に合わせて（ａ）が圧延開始前、（ｂ）は圧延開始時、（ｃ）は圧延終了時、（ｄ）は仕上ユニバーサル圧延機抜け後を示している。
【００３９】
図９（ａ）、（ｂ）に示すように、従来の仕上ユニバーサル圧延機においては、圧延開始前まではウェブ部２５が非拘束であるため、被圧延材Ｗが傾斜した状態で仕上圧延工程が進んでいく場合がある。特に、竪ロール３０、３１とフランジ部２０、２１とが当接し始める図９（ｂ）の時点で被圧延材Ｗの姿勢が不安定になり易い。これは、ウェブ部２５が上下水平ロール５０、５１から挟持されない状態で左右から竪ロール３０、３１で圧縮されるからである。これに伴い、図９（ｂ）に示す状態にある被圧延材Ｗの長さ方向部位の前後に位置する部位についても姿勢が崩れることが懸念される。このような状態で圧延が進んだ場合、図９（ｃ）、（ｄ）に示すように、ウェブ部２５の中心位置偏りｓ（ウェブ部２５の板厚中心線に対するフランジ部２０又は２１の板幅中心線のずれ量）が生じ、これに伴いフランジ部２０、２１が非対称形状に造形される。
また、上下水平ロール５０、５１の側面部とフランジ部２０、２１の内側面との間には速度差が生じることが知られており、特にフランジ部２０、２１の先端部と上下水平ロール５０、５１との間では速度差が大きく、上下水平ロール５０、５１の当該箇所における摩耗が激しくロールコストの増大が懸念される。
【００４０】
本発明者らは、上記図９を参照して説明したような問題点に鑑み、仕上圧延工程において被圧延材Ｗのウェブ部２５を、長さ方向において所定の区間で拘束して造形、即ち、フランジ部２０、２１の曲げ加工を行う技術について鋭意検討を行い、上記図２〜図７を参照して説明した構成を有する上水平機構４０、下水平機構４１を配した仕上曲げ加工機８を創案した。
【００４１】
即ち、本実施の形態にかかる構成の仕上曲げ加工機によれば、図４〜図７に示したように、フランジ部２０、２１の曲げ加工開始前から仕上曲げ加工機抜け後に至るまで、被圧延材Ｗのウェブ部２５を上下水平機構４０、４１（金型４０ａ、４１ａ）によって拘束して造形を行うため、ウェブ部２５や被圧延材Ｗ全体が傾斜した状態で圧延・造形が行われてしまうといった従来の仕上ユニバーサル圧延機における問題点を解消することが可能となる。これにより、特にウェブ中心位置偏り等を抑制させ、寸法精度の高い仕上曲げ加工工程を実施することができる。
【００４２】
以上、本発明の実施の形態の一例を説明したが、本発明は図示の形態に限定されない。当業者であれば、特許請求の範囲に記載された思想の範疇内において、各種の変更例または修正例に想到し得ることは明らかであり、それらについても当然に本発明の技術的範囲に属するものと了解される。
【００４３】
例えば、上記実施の形態にかかる仕上曲げ加工機８において、上下水平機構４０、４１の金型４０ａ、４１ａの幅長さは、ウェブ部２５の幅長さとほぼ同様であるものとして説明したが、このような構成に限られるものではない。具体的には、上下水平機構４０、４１に備えられる金型は、それぞれが幅方向に２分割された構成であっても良い。以下、図１０を参照して本構成について説明する。
【００４４】
図１０は、上下水平機構４０、４１に備えられる金型を幅方向に２分割された構成とした場合の本発明の変形例についての概略説明図である。なお、図１０において上記実施の形態と同様の機能構成を有する要素については同じ符号を付してその説明は省略する。
【００４５】
図１０に示すように、本変形例に係る上水平機構４０には、上記実施の形態における金型４０を幅方向に２分割したように構成される左右の金型部分７０、７１が備えられ、これら金型部分７０、７１の間は所定間隔が空いた構成となっている。金型部分７０、７１のその他の構成等は上記実施の形態にかかる構成の金型４０と同様である。また、本変形例に係る下水平機構４１には、同様の左右の金型部分８０、８１が備えられ、これら金型部分８０、８１も同様に所定間隔が空いた構成となっている。これら左右の金型部分７０、７１及び金型部分８０、８１の間隔は任意に調整可能な構成になっている。
【００４６】
Ｈ形鋼製品の製造ラインＴにおいては、上記実施の形態で説明した加熱炉２、粗圧延機４、中間ユニバーサル圧延機５、仕上曲げ加工機８、エッジャー圧延機９に加え、中間ユニバーサル圧延機５と仕上曲げ加工機８との間に拡幅圧延機（いわゆるスキューロール圧延機）を設置する場合があることが一般的に知られている。この拡幅圧延機は、被圧延材Ｗのウェブ部幅長さを目的とする寸法に合わせて拡幅させるものであり、被圧延材Ｗのウェブ部幅長さを自在に種々の長さとすることが可能な圧延機である。このような拡幅圧延機を用いる場合、仕上曲げ加工機８には、種々の幅長さのウェブ部２５を有した被圧延材Ｗが流れてくることになる。
【００４７】
上下水平機構４０、４１を図１０に示すような幅可変な金型部分７０、７１、８０、８１を備えた構成とすることにより、上記拡幅圧延機（スキューロール圧延機）を備えた工程の製造ラインＴであっても、上記実施の形態と同様の作用効果を享受することができる。
【００４８】
（本発明の他の実施の形態）
また、上記実施の形態ならびにその変形例では、仕上曲げ加工機８に備えられる左右一対の竪ロール３０、３１については従来の構成と変わらないものとして説明したが、これら竪ロールの構成についても更なる改良の余地がある。そこで以下では、図１１〜図１３を参照して本発明の他の実施の形態として仕上曲げ加工機８の竪ロールについて更なる改良を施した構成について説明する。なお、以下の説明において、上記実施の形態と同様の機能構成を有する構成要素については同一の符号を付してその説明は省略する。
【００４９】
図１１は本発明の他の実施の形態にかかる仕上曲げ加工機１００の概略平面図であり、図１２は仕上曲げ加工機１００の概略側面図である。なお、図１１の概略平面図は、図１２における仕上曲げ加工機１００の側面図のＥ−Ｅ断面を図示したものである。
【００５０】
図１１及び図１２に示すように、仕上曲げ加工機１００は、略Ｈ形形状の被圧延材Ｗ（中間材１４）の左右のフランジ部２０、２１の外側面に沿って当接し、当該フランジ部２０、２１の造形を行う左右一対の竪金型列機構１１０、１１１と、被圧延材Ｗのウェブ部２５の上下面を挟持する上水平機構４０及び下水平機構４１を備えている。なお、図１２には竪金型列機構１１０、１１１は図示しておらず、また、上下水平機構４０、４１の構成は上記実施の形態と同じである。
【００５１】
竪金型列機構１１０は、楕円形状に構成された無限軌道上を連結された複数の金型１１０ａを備えており、これら金型１１０ａは治具１１５によって筐体１１０ｂに接続されている。また、複数の金型１１０ａは上記無限軌道上において隣接して配置されており、図示しない駆動機構により、加工方向（図１１中矢印方向）に合わせて無限軌道上を旋回駆動する構成となっている。
【００５２】
同様に、竪金型列機構１１１は、楕円形状に構成された無限軌道上を連結された複数の金型１１１ａを備えており、これら金型１１１ａは治具１１６によって筐体１１１ｂに接続されている。また、複数の金型１１１ａは上記無限軌道上において隣接して配置されており、図示しない駆動機構により、加工方向（図１１中矢印方向）に合わせて無限軌道上を旋回駆動する構成となっている。
【００５３】
図１１、１２に示す構成の仕上曲げ加工機１００によれば、上記実施の形態にかかる構成と同様に、被圧延材Ｗのウェブ部２５を上下水平機構４０、４１（金型４０ａ、４１ａ）によって拘束して造形を行うことに加え、造形時に被圧延材Ｗのフランジ部２０、２１の外側面に当接する金型１１０ａ及び金型１１１ａにより、フランジ部２０、２１の曲げ加工が所定区間に亘って面接触にて実施される。
【００５４】
図１３は、本発明の他の実施の形態にかかる仕上曲げ加工機１００においてフランジ部２０、２１が曲げ加工される被圧延材Ｗの様子を正面から見た概略断面図であり、（ａ）がフランジ部の曲げ加工開始前、（ｂ）はフランジ部の曲げ加工開始時、（ｃ）はフランジ部の曲げ加工終了時、（ｄ）は仕上曲げ加工機抜け後を示している。即ち、図１３（ａ）〜（ｄ）は、図１１、図１２のＡ−Ａ断面、Ｂ−Ｂ断面、Ｃ−Ｃ断面、Ｄ−Ｄ断面を示したものである。
【００５５】
図１３（特に（ｃ）、（ｄ））に示すように、仕上曲げ加工機１００においては、フランジ部の曲げ加工開始前から仕上曲げ加工機抜け後に至るまで、被圧延材Ｗのウェブ部２５が上下水平機構４０、４１（金型４０ａ、４１ａ）によって常時拘束された状態で造形が行われることに加え、フランジ部２０、２１が曲げ加工された後にも金型１１０ａ及び金型１１１ａに当接したままの状態で造形が進むことになる。このため、フランジ部２０、２１における局部変形といった寸法・形状不良が抑制され、安定して寸法精度の高い仕上曲げ加工工程を実施することが可能となる。
【産業上の利用可能性】
【００５６】
本発明は、例えば矩形断面であるスラブやブルーム等を素材として粗圧延、中間圧延を経由して造形されたＨ形中間材に対し仕上曲げ加工工程で主としてフランジの曲げ加工を施しＨ形鋼製品を製造するための仕上曲げ加工機に適用できる。
【符号の説明】
【００５７】
１…圧延設備
２…加熱炉
４…粗圧延機
５…中間ユニバーサル圧延機
８…仕上曲げ加工機
９…エッジャー圧延機
１１…スラブ
１２…フランジ対応部
１３…Ｈ形粗形材
１４…中間材
１６…Ｈ形鋼製品
２０、２１…フランジ部
２５…ウェブ部
３０、３１…竪ロール
４０…上水平機構
４０ａ…金型
４１…下水平機構
４１ａ…金型
４５、４６…治具
５０…上水平ロール
５１…下水平ロール
７０、７１…金型部分
８０、８１…金型部分
１００…仕上曲げ加工機
１１０、１１１…竪金型列機構
１１０ａ、１１１ａ…金型
１１５、１１６…治具
Ｔ…製造ライン
Ｗ…被圧延材
【図１】
0006323291.tif 000002
【図２】
0006323291.tif 000003
【図３】
0006323291.tif 000004
【図４】
0006323291.tif 000005
【図５】
0006323291.tif 000006
【図６】
0006323291.tif 000007
【図７】
0006323291.tif 000008
【図８】
0006323291.tif 000009
【図９】
0006323291.tif 000010
【図１０】
0006323291.tif 000011
【図１１】
0006323291.tif 000012
【図１２】
0006323291.tif 000013
【図１３】
0006323291.tif 000014